(57)【要約】【課題】  簡単に商品検索ができる商品の検索システムを提供することである。【解決手段】  複数の商品に対応付けた商品情報を記憶した商品データベース１と、検索コンピュータ２と、検索コンピュータ２への通信先特定信号および検索条件特定信号を含んだ複数の光学的識別情報１５と、検索コンピュータ２との間で通信可能なユーザーコンピュータ３とからなり、ユーザーコンピュータ３は、上記光学的識別情報１５を読み取って、特定した通信先特定信号に基づいて検索コンピュータ２へアクセスするとともに、検索コンピュータ２へ上記検索条件特定信号を送信する機能を備え、検索コンピュータ２は、受信した検索条件特定信号に基づいて検索条件を特定し、その検索条件に基づいて商品データベース１から上記検索条件にマッチした商品を抽出する機能と、抽出した商品の商品情報をユーザーコンピュータ３へ送信する機能を備えた。【選択図】  図１
2006072505.tif 000002
【特許請求の範囲】
【請求項１】
複数の商品のそれぞれに対応付けた商品情報を記憶した商品データベースと、この商品データベースに連係した検索コンピュータと、上記検索コンピュータへの通信先特定信号および検索条件特定信号を含んだ複数の光学的識別情報と、上記検索コンピュータとの間で通信可能なユーザーコンピュータとからなり、ユーザーコンピュータは、上記光学的識別情報を取り込む機能と、取り込んだ光学的識別情報から通信先特定信号および検索条件特定信号を特定する機能と、上記通信先特定信号に基づいて検索コンピュータへアクセスするとともに、検索コンピュータへ上記検索条件特定信号を送信する機能とを備え、検索コンピュータは、受信した上記検索条件特定信号に基づいて検索条件を特定し、特定した検索条件に基づいて上記商品データベースから条件にマッチした商品を抽出する機能と、抽出した商品の商品情報をユーザーコンピュータへ送信する機能とを備えた商品の検索システム。
【請求項２】
上記検索コンピュータは、ユーザーコンピュータから受信した検索条件特定信号に対応する選択商品が含まれる商品グループを特定する機能と、ユーザーコンピュータから受信した検索条件特定信号に基づいて選択条件を特定する機能と、上記選択商品が含まれる商品グループの商品であって、上記選択商品以外の商品を商品データベースから抽出する機能と、抽出した商品情報と上記選択条件とを対比する機能と、対比した結果上記選択条件と一致しない商品情報のうち、同一商品に対応する唯一の不一致情報に基づいて非選択条件を特定する機能と、これら選択条件と非選択条件とに基づいて検索条件を特定する機能とを備えたことを特徴とする請求項１に記載の商品の検索システム。
【請求項３】
商品の検索システムに用いる印刷物であって、複数の商品紹介欄と、各商品紹介欄に対応づけた１または複数の光学的識別情報とを印刷し、上記光学的識別情報には、検索処理を行うための検索コンピュータへアクセスするための通信先特定信号および商品情報に対応した検索条件特定信号を含ませたことを特徴とする商品の検索システムに用いる印刷物。
【発明の詳細な説明】
【技術分野】
【０００１】
この発明は、ユーザーが、自分の希望にマッチした商品を検索するためのシステムと、それに用いる印刷物である。
【背景技術】
【０００２】
通信販売の商品カタログの代わりに、ウエブページ上に商品情報を形成して、ユーザーに商品情報を提供することがある。
このようなシステムを利用するためには、ユーザーが自分の携帯電話や、パソコンなどを用いて、上記ホームページにアクセスする必要があるが、上記ウエブページのＵＲＬを入力するのは手間がかかり面倒である。そのため、特定のページのＵＲＬ情報を含ませた二次元コードと、二次元コード読み取り機能を備えたカメラ付き携帯電話機を用いる方法が考えられている。
【０００３】
すなわち、この携帯電話機で二次元コードを撮影して画像を取り込むと、この携帯電話機が画像をＵＲＬに変換し、ユーザーは、このＵＲＬを用いてウエブページにアクセスできるというものである。
そして、このようなＵＲＬ取得方法を利用すれば、商品情報を表示したウエブページに簡単にアクセスすることができ、商品情報を取得することができる。
【特許文献１】特開２００４−０７８３６８号公報
【発明の開示】
【発明が解決しようとする課題】
【０００４】
しかし、上記システムにおいて、ユーザーは、取得したＵＲＬに対応する特定のページを表示させることしかできない。例えば、複数の商品情報を表示させるためには、それぞれに対応する二次元コードを撮影し、各ＵＲＬを取得して個別に商品情報のページを表示させなければならない。
【０００５】
また、複数の商品の中から、自分の希望にあった商品を検索しようとした場合には、検索用のページを表示させて、検索条件となるキーワードを自分で入力する必要がある。
このようなキーワードの入力は、面倒であるうえ、適切なキーワードの選択が難しく、検索結果を見ながら、キーワードを入力し直さなければならないことも多く、面倒である。
この発明の目的は、ユーザーにとって面倒な文字入力などの操作を不要にして、簡単に商品検索ができる商品の検索システムと、この検索システムを用いた印刷物を提供することである。
【課題を解決するための手段】
【０００６】
第１の発明は、複数の商品のそれぞれに対応付けた商品情報を記憶した商品データベースと、この商品データベースに連係した検索コンピュータと、上記検索コンピュータへの通信先特定信号および検索条件特定信号を含んだ複数の光学的識別情報と、上記検索コンピュータとの間で通信可能なユーザーコンピュータとからなり、ユーザーコンピュータは、上記光学的識別情報を取り込む機能と、取り込んだ光学的識別情報から通信先特定信号および検索条件特定信号を特定する機能と、上記通信先特定信号に基づいて検索コンピュータへアクセスするとともに、検索コンピュータへ上記検索条件特定信号を送信する機能とを備え、検索コンピュータは、受信した上記検索条件特定信号に基づいて検索条件を特定し、特定した検索条件に基づいて上記商品データベースから条件にマッチした商品を抽出する機能と、抽出した商品の商品情報をユーザーコンピュータへ送信する機能とを備えた点に特徴を有する。
【０００７】
第２の発明は、第１の発明を前提とし、検索コンピュータは、ユーザーコンピュータから受信した検索条件特定信号に対応する選択商品が含まれる商品グループを特定する機能と、ユーザーコンピュータから受信した検索条件特定信号に基づいて選択条件を特定する機能と、上記選択商品が含まれる商品グループの商品であって、上記選択商品以外の商品を商品データベースから抽出する機能と、抽出した商品情報と上記選択条件とを対比する機能と、対比した結果上記選択条件と一致しない商品情報のうち、同一商品に対応する唯一の不一致情報に基づいて非選択条件を特定する機能と、これら選択条件と非選択条件とに基づいて検索条件を特定する点に特徴を有する。
【０００８】
第３の発明は、商品の検索システムに用いる印刷物であって、複数の商品紹介欄と、各商品紹介欄に対応づけた１または複数の光学的識別情報とを印刷し、上記バーコードには、検索処理を行うための検索コンピュータへアクセスするための通信先特定信号および商品情報に対応した検索条件特定信号を含ませた点に特徴を有する。
【発明の効果】
【０００９】
第１〜第３の発明によれば、ユーザーは、商品検索のために、必要なアドレスや、検索キーワードの入力作業をしなくても良くなる。つまり、簡単な操作だけで、商品検索ができるようになる。
特に、第２の発明では、ユーザーが選択した情報だけでなく、選択しなかった情報も用いて検索条件を決定しているので、ユーザーの要望によりマッチした商品を抽出することができるようになる。
【発明を実施するための最良の形態】
【００１０】
図１〜図３に示す第１実施形態は、この発明の商品の検索システムを、中古車販売に利用した例である。
このシステムは、図１に示すように、この発明の商品である中古車の自動車情報を記憶した商品データベース１と、これに接続した検索コンピュータ２と、ユーザーコンピュータ３と、カタログ４とで構成される。そして、検索コンピュータ２とユーザーコンピュータ３とは、インターネットなどの通信ネットＮを介して互いに通信可能にしている。
【００１１】
上記検索コンピュータ２は、ユーザーコンピュータ３との間でデータの送受信を行う送受信部５と、データ処理部６と、記憶部７とを備えている。
上記データ処理部６は、ユーザーの希望にマッチした中古車を上記商品データベース１から抽出して、ユーザーコンピュータ３へ送信する機能を備え、記憶部７は、データ処理部６が検索処理を行う際に必要なデータを記憶する機能を備えている。
【００１２】
また、ユーザーコンピュータ３は、検索コンピュータ２との間で通信を行うための送受信部８と、データ処理部９と、コード読み取り部１０と、ディスプレイ１１とを備えている。
コード読み取り部１０は、カメラなどの画像取り込み手段を有し、コードを画像データとして取り込む機能と、取り込んだ画像データをコードに変換してからデータ処理部９に入力する機能とを備えている。
なお、上記ユーザーコンピュータ３としては、インターネット環境にあるパソコンや、カメラ付き携帯電話機などを用いることができる。ただし、ユーザーコンピュータ３の処理部９には、後で説明する処理を行うためのプログラムが必要である。
【００１３】
また、上記商品データベース１が記憶しているデータは、例えば、図２の表Ｔ１のように、商品としての中古車ごとに、その車名、色、走行距離、年式などの自動車情報を対応づけたデータである。
一方、カタログ４は、複数の中古車の情報を印刷したもので、請求項３の発明の印刷物である。
ただし、カタログ４には、販売可能な中古車全てに関する情報を掲載する必要はなく、代表的なもののみを掲載するようにしてもよい。
【００１４】
カタログ４には、図３に示すように、商品番号欄１２と、この商品番号ごとに中古車の写真１３と、自動車情報欄１４と、二次元コード１５とを対応づけて表示している。このカタログ４の自動車情報欄１４に表示される自動車情報は、上記商品データベース１が記憶している自動車情報に対応する情報であるが、商品データベース１が記憶している自動車情報の全てであっても良いし、その一部だけでもかまわない。ユーザーが、中古車選びに重視する項目を表示することが望ましい。
【００１５】
また、上記二次元コード１５には、対応する写真１３で表示されている自動車の自動車情報と、この発明の通信先特定信号である検索コンピュータ２のアドレスが含まれている。
例えば、商品番号Ｎｏ．１の場合、自動車情報は、Ａ１，Ｂ１，Ｃ１，Ｄ１であり（図２）、図３では、これら全てをカタログ４の自動車情報欄１４に表示している。そして、商品番号Ｎｏ．１の中古車に対応するコード１５には、上記自動車情報としてＡ１，Ｂ１，Ｃ１，Ｄ１を含ませている。
同様に、他の商品番号に対応する表示エリアにも、写真１３、自動車情報欄１４、コード１５が印刷されている。
なお、上記商品番号欄１２、上記写真１３および自動車情報欄１４が、この発明の商品紹介欄を構成している。
【００１６】
次に、このシステムにおいて、ユーザーの希望にマッチした中古車を、商品データベース１に記憶されているデータのなかから検索する手順を説明する。
まず、ユーザーは、カタログ４の中から、写真１３と自動車情報欄１４の記載に基づいて、自分の希望に最も近い自動車を選択し、そのコード１５をユーザーコンピュータ３に読み取らせる。具体的には、ユーザーコンピュータ３に備わっているカメラで上記コード１５を撮影し、コード読み取り部１０を作動させる。
【００１７】
上記コード読み取り部１０は、取り込んだ画像データをコード化してデータ処理部９へ入力する。データ処理部９には、ユーザーが選択した自動車情報、例えば、自動車情報Ａ１，Ｂ１，Ｃ１，Ｄ１のコードと、検索コンピュータ２のアドレスが入力される。
なお、カタログ４の自動車情報欄１４に印刷されている自動車情報Ａ１，Ｂ１，Ｃ１，Ｄ１と、ユーザーコンピュータ３に入力される自動車情報Ａ１，Ｂ１，Ｃ１，Ｄ１とは、形態が異なるが、情報内容は同じなので特に区別していない。
【００１８】
次にデータ処理部９は、上記検索コンピュータ２のアドレスに基づいて、上記自動車情報Ａ１，Ｂ１，Ｃ１，Ｄ１を、送受信部８を介して検索コンピュータ２へ送信する。
検索コンピュータ２は、受信した自動車情報Ａ１，Ｂ１，Ｃ１，Ｄ１に基づいて中古車の検索を行うが、以下は、この検索コンピュータ２が行う処理である。
【００１９】
検索コンピュータ２のデータ処理部６は、送受信部５を介して自動車情報Ａ１，Ｂ１，Ｃ１，Ｄ１を受信したら、記憶部７が記憶している検索条件決定ルールに基づいて検索条件を決定する。この検索条件決定ルールは、例えば、ユーザーコンピュータ３から送信された自動車情報をそのまま検索キーとして、それらを足し合わせて検索条件とするか、掛け合わせて検索条件とするかというようなことを決めている。
【００２０】
あるいは、検索条件決定ルールとして、入力された自動車情報とは同一ではないが、入力された自動車情報に関連する検索キーを特定するルールを記憶させておくこともできる。その場合、記憶部７には、ユーザーコンピュータ３から入力される自動車情報に検索時に用いる検索キーとの対応テーブルを記憶させておく必要がある。
【００２１】
例えば、自動車情報として入力される色「コバルトブルー」に対して、検索キーとして「コバルトブルー」だけでなく、「スカイブルー」、「シアン」などのブルー系の色を対応づけておけば、「コバルトブルー」の中古車を選択したユーザーに対して、「コバルトブルー」以外のブルー系の自動車を提示することもできる。特に、自動車の色は、様々な種類があるので、選択条件を同系色の範囲に広げることによって、ユーザの希望色に合った中古車を多数提示できるようになる。
【００２２】
また、車種についても、同クラスの異なる車種を対応づけるようにすれば、選択範囲を広げることができる。
さらに、ユーザーが、カタログ４から複数の中古車を選択して、それぞれに対応するコード１５をユーザーコンピュータ３が読み取った場合に、検索コンピュータ２が入力された自動車情報をどのように組み合わせて検索条件を決定するかというルールも、上記記憶部７が記憶している。
【００２３】
検索コンピュータ２のデータ処理部６は、上記検索条件決定ルールに基づいて、検索条件を決定したら、その決定した検索条件と、商品データベース１の自動車情報とを対比して、上記検索条件にマッチした中古車を抽出し、その抽出結果をユーザーコンピュータ３へ送信する。
【００２４】
ユーザーコンピュータ３のデータ処理部９は、受信した検索結果をディスプレイ１１に表示させる。このように、ディスプレイ１１には、検索コンピュータ２が自動的に検索した結果が表示される。つまり、ユーザーは、ＵＲＬや検索キーを手入力することなく、自分の希望にマッチした中古車情報の検索結果を、ディスプレイ１１に表示させることができる。
【００２５】
なお、上記コード１５に含んだ自動車情報は、カタログ４に印刷された自動車情報と完全に一致する必要はないし、商品データベース１が記憶している自動車情報と同一である必要もない。このコード１５の自動車情報は、検索用のキーワードの基になる情報であり、この発明の検索条件特定信号にあたり、商品データベース１が記憶している自動車情報が、この発明の商品情報である。
【００２６】
図４、図５に示す第２実施形態は、検索コンピュータ２のデータ処理部６が行う検索条件の決定方法が、上記第１実施形態と異なる。詳細は、後で説明するが、検索コンピュータ２では、カタログ４からユーザーが選択した中古車の自動車情報に基づいて選択条件を決定するとともに、ユーザーが選択しなかった自動車情報に基づいて非選択条件を決定し、これら選択条件と非選択条件との両方に基づいて、検索条件を特定するようにしている。
そのため、検索コンピュータ２の記憶部７は、上記第１実施形態と同様に、検索条件決定ルールの外に、選択条件決定ルールおよび非選択条件決定ルールも記憶している。
【００２７】
その他の構成は、第１実施形態と同じなので、第２実施形態の説明にも、図１〜図３を用い、第１実施形態と異なる点を中心に説明する。
なお、図３に示すカタログ４は、複数ページからなり、図３にはそのうちの１ページを表示しているものとする。
そして、各ページに表示されている中古車を同一商品グループとし、各商品グループに属する商品を、検索コンピュータ２の記憶部７に記憶させておく。例えば、グループ名に、商品番号を対応づけたグループ対応テーブルを記憶させる。
【００２８】
図３のカタログ４のページには、商品グループＧ１に含まれる商品番号Ｎｏ．１〜６の中古車が表示されている。
この中から、ユーザーが、自分の希望に合った中古車を選択してコード１５を読み取らせた場合、その情報が検索コンピュータ２へ送信される。ただし、この第２実施形態では、コード１５に、検索条件特定信号である自動車情報に対応する情報とともに、商品番号も含まれている。
【００２９】
このように、ユーザーコンピュータ３から送信されたコード１５に含まれる自動車情報や商品番号を受信してから、検索コンピュータ２のデータ処理部６が行う処理を、図４のフローチャートに従って説明する。
なお、ここでは、ユーザーが図３に示すページから商品番号Ｎｏ．３を選択して、そのバーコード１５を読み取らせたものとする。
【００３０】
図４のステップＳ１で、データ処理部６は、送受信部５を介して、ユーザーが選択したこの発明の選択商品の商品番号および対応する検索条件特定信号である自動車情報を受信する。
ステップＳ２で、データ処理部６は、受信した商品番号Ｎｏ．３を特定し、ステップＳ４では、記憶部７が記憶しているグループ対応テーブルに基づいて上記商品番号Ｎｏ．３が含まれる商品グループＧ１を特定し、このグループＧ１に含まれる他の商品番号Ｎｏ．１〜６を特定する。
ステップＳ４で、グループＧ１に含まれる中古車の自動車情報を、商品データベース１から抽出する。グループＧ１に含まれる自動車情報とは、図５の表Ｔ２に示す商品番号Ｎｏ．１〜６の自動車情報である。
【００３１】
一方、上記データ処理部６は、ユーザーコンピュータ３から送信された選択条件特定信号である自動車情報Ａ３，Ｂ３，Ｃ３，Ｄ３を受信しているので、ステップＳ５で、これらの自動車情報に基づいて選択条件Ｘを決定する。この選択条件の決定は、記憶部７が記憶している選択条件決定ルールに基づいて行う。この選択条件決定ルールは、上記第１実施形態の検索条件決定ルールと同様のルールである。
【００３２】
ステップＳ６で、自動車情報の項目ごとに、商品番号Ｎｏ．３の自動車情報とグループＧ１内における他の中古車の自動車情報とを対比する。具体的には、自動車情報の「車名」について、商品番号Ｎｏ．３のＡ３と、他の車名、すなわちＡ１、Ａ２、Ａ４、Ａ５、Ａ６とをそれぞれ対比して同じか否かを判断する。その結果、一致しなかった情報を不一致情報として、記憶部７に記憶させる（ステップＳ７）。同様にして「色」、「走行距離」、「年式」についても対比を行う。
【００３３】
図５の表Ｔ２には、グループＧ１に属する中古車の自動車情報を表示しているが、上記対比結果の例として、選択した商品番号Ｎｏ．３の自動車情報と一致する自動車情報には丸印を付けている。すなわち、商品番号Ｎｏ．１〜３は同一車種であり、車番号Ｎｏ．１、３、４、６は同色であるということである。この表Ｔ２において丸印を付けていない情報が、不一致情報である。
次に、ステップＳ８で、データ処理部６は、商品ごとの不一致情報の数を計数し、それがひとつかどうかを判断する。つまり、同一商品に対する唯一の不一致情報が有るかどうかを判断する。
【００３４】
なお、不一致情報の数を、図５におけるテーブルＴ２の右端の不一致数欄１６に示している。この例では、不一致情報がひとつしかないのは、商品番号Ｎｏ．１と商品番号Ｎｏ．４であり、それぞれに対応する不一致情報は、Ｃ１とＡ４である。すなわち、これらの自動車情報Ｃ１とＡ４が、この発明の同一商品に対応する唯一の不一致情報であり、図５の表Ｔ２中では下線を付けている。
上記同一商品に対する唯一の不一致情報Ｃ１とＡ４は、その商品を選択しなかった理由になると推測できる。その理由を以下に説明する。
【００３５】
この第２実施形態で、商品番号Ｎｏ．３を選択した場合を考えているが、このとき、ユーザーは、カタログ４の同一ページに表示されている商品番号Ｎｏ．１〜６の全てを見てから、商品番号Ｎｏ．３を選択したと考える。つまり、商品番号Ｎｏ．３以外の中古車については、ユーザーは、カタログ４に表示されている自動車情報を見たけれど、希望に合わなかったので選択しなかったと考えられる。
例えば、ユーザーが選択した商品番号Ｎｏ．３の自動車情報と、商品番号Ｎｏ．１の自動車情報とを対比すると、「走行距離」以外は一致している。つまり、商品番号Ｎｏ．１を選択しなかった理由は「走行距離」Ｃ１に有ると考える。
【００３６】
一方、商品番号Ｎｏ．３と商品番号Ｎｏ．２とを対比した場合、「色」と「年式」が不一致情報である。これらの不一致情報のいずれかが、商品番号Ｎｏ．２を選択しなかった理由であると考えられるが、どちらがその理由なのかを特定することはできない。従って、上記のように、唯一の不一致情報を、その中古車を選択しなかった理由と考えるようにしている。
【００３７】
そこで、データ処理部６は、ステップＳ８で同一商品に対する唯一の不一致情報が有ると判断した場合には、ステップＳ９へ進んで、同一商品に対する唯一の不一致情報Ｃ１、Ａ４に基づいて、非選択条件Ｙを決定する。この非選択条件Ｙの決定も、記憶部７が記憶している非選択条件決定ルールに従って行う。非選択条件決定ルールも、第１実施形態の検索条件決定ルールや、上記選択条件決定ルール同様に、上記不一致情報そのものを非選択条件とするというルールであっても良いし、不一致条件の類似範囲までを非選択条件とするルールであっても良い。
【００３８】
ステップＳ１０では、上記選択条件Ｘと非選択条件Ｙとに基づいて、検索条件を特定する。検索条件は、例えば、「上記選択条件Ｘに該当し、非選択条件Ｙに該当しない」というものである。
ステップＳ１１で、検索コンピュータ２のデータ処理部６は、特定した検索条件に基づいて、商品データベース１から自動車情報を抽出し、ステップＳ１２でその結果をユーザーコンピュータ３へ送信する。
【００３９】
もしも、ステップＳ８で、同一商品に対する唯一の不一致情報が無かった場合、すなわち、どの商品についても複数の不一致情報が有った場合、ステップＳ１３へ進む。
ステップＳ１３では、上記ステップＳ５で決定した選択条件Ｘをそのまま検索条件とし、ステップＳ１１へ進む。
【００４０】
以上の手順で、ユーザーコンピュータ３のディスプレイ１１にユーザーの希望にマッチした自動車情報が表示される。
この第２実施形態では、ユーザーが選択した商品番号に対応する情報だけでなく、選択しなかった商品番号の情報から非選択条件を決定して、それを利用しているため、選択条件のみで検索条件を決定する場合と比べて、ユーザーの希望を、より的確に反映した検索が可能になる。
【００４１】
なお、この第２実施形態では、カタログ４の同一ページに表示された商品を、この発明のひとつの商品グループとしているが、グループは、どのように決めてもよい。ただし、同一グループ内の商品は、ユーザーが全て対比したうえで選択したものとしているので、同一グループの商品は連続して表示されていることが好ましい。例えば、見開きの２ページをひとつのグループとしたり、ユーザーが選択した選択商品より前のページに表示されたもの全て同一グループとしたりすることが考えられる。
【００４２】
また、上記第１、第２実施形態のシステムにおいて、ユーザーが中古車を選択するときに、重視する情報がなにかということを、検索条件の決定に利用するようにしてもよい。具体的には、以下のようにする。
まず、ユーザーコンピュータ３が、カタログ４のバーコード１５を読み取ったときに、ユーザーコンピュータ３のデータ処理部９が、入力された個々の検索条件特定信号の重要度をユーザーに質問する画面をディスプレイ１１に表示させる。そして、検索条件特定信号である自動車情報「車種」、「色」、「走行距離」、「年式」のうち、どの項目が最も重要なのか、優先順位をユーザーにつけさせるようにする。
【００４３】
また、ユーザーが、複数の中古車を選択したために、入力された自動車情報の同一項目に異なる内容が含まれていた場合、例えば、異なる車種や、異なる色などが、同時に選択された場合、優先順があるのかどうかを質問し、その回答を入力させるようにしてもよい。
そして、ユーザーコンピュータ３のデータ処理部９は、ユーザーの回答に基づいて、重要度を付加した検索条件特定信号を、検索コンピュータ２へ送信する。検索コンピュータ２では、データ処理部６が、重要度を加味するルールに従って検索条件を決定する。
【００４４】
なお、上記第１、第２実施形態では、カタログ４に表示するひとつの中古車に対してひとつの二次元バーコード１５を対応付けているが、複数のバーコードを対応付けて、それぞれに情報を含ませても良い。
さらに、上記第１、第２実施形態では、バーコードに含ませる検索条件特定信号を商品情報である自動車情報と同じ内容にしているが、自動車情報とは異なる内容にしても良い。
【００４５】
例えば、カタログには、自動車情報そのものである車種が印刷されていたとしても、バーコードには、その車種そのものではなく、その車種と同等クラスの車種を特定する情報を含ませることができる。そして、検索コンピュータ２の記憶部７に、各クラスに対応する具体的な車種が対応づけて記憶されていれば、それらを検索条件として自動車情報を抽出することができる。
つまり、検索条件を特定する際に、検索条件特定信号に幅を持たせた条件を生成するのではなく、検索条件特定信号自体に、幅を持たせておくようにする。
【００４６】
なお、上記第１、第２実施形態においては、上記二次元コード１５がこの発明の光学的識別情報であるが、光学的識別情報としては、二次元コードに限らず、ユーザーコンピュータ３が光学的に取り込んでコード変換できるものならどのようなものでもかまわない。カメラなど光学的な読み取り手段によって画像データとして取り込むことができれば、ユーザーは、数字や文字などを入力する必要がない。したがって、ユーザーにとって面倒な作業が不要なだけでなく、入力間違いも発生しない。
また、上記第１、第２実施形態では、この発明の商品検索システムを中古車の検索に利用する例を説明したが、このシステムで検索する商品は、中古車に限らない。このシステムは、どのような商品にも利用可能であって、例えば、不動産情報検索、食品情報検索等に適用することができる。
【図面の簡単な説明】
【００４７】
【図１】第１実施形態のシステム構成図である。
【図２】第１実施形態の商品データベースに記憶されている商品情報の例を示した表である。
【図３】第１実施形態のシステムに用いるカタログの１ページを示した平面図である。
【図４】第２実施形態の検索コンピュータの処理手順を示したフローチャートである。
【図５】第２実施形態の自動車情報を示した表である。
【符号の説明】
【００４８】
１        商品データベース
２        検索コンピュータ
３        ユーザーコンピュータ
４        カタログ
１５      バーコード
【図１】
2006072505.tif 000003
【図２】
2006072505.tif 000004
【図３】
2006072505.tif 000005
【図４】
2006072505.tif 000006
【図５】
2006072505.tif 000007